【手続補正書】
【提出日】平成16年6月8日(2004.6.8)
【手続補正１】
【補正対象書類名】明細書
【補正対象項目名】特許請求の範囲
【補正方法】変更
【補正の内容】
【特許請求の範囲】
【請求項１】
ローカル信号生成回路を備え、受信波と該受信波に生成されたローカル信号をミキシングすることにより中間周波数を得て、該中間周波数をＳＡＷフィルタにより帯域制限してその出力を基に復調信号を得る受信回路において、
ＳＡＷフィルタの出力を基にスペクトル中心周波数を基準として該周波数の上下のレベル差を検出して前記ローカル信号生成回路に与える制御電圧検出回路を設けたことを特徴とする受信回路。
【請求項２】
前記制御電圧検出回路が、前記ＳＡＷフィルタの出力から分離された、上側帯波の高調波成分を制限する第１の帯域制限手段と下側帯波の高調波成分を制限する第２の帯域制限手段と、第１の帯域制限手段の出力を反転する反転手段と、第２の帯域制限手段の出力を９０゜位相転換する位相転換手段と、第１の帯域制限手段の出力および位相転換手段の出力を加算する第１の加算手段と、第２の帯域制限手段の出力および反転手段の出力を加算する第２の加算手段と、第１の加算手段からの出力レベルを検出する第１のレベル検出手段と、第２の加算手段からの出力レベルを検出する第２のレベル検出手段と、第１のレベル検出手段および第２のレベル検出手段の出力を比較して差を得る比較手段とを有することを特徴とする請求項１に記載の受信回路。
【手続補正２】
【補正対象書類名】明細書
【補正対象項目名】０００８
【補正方法】変更
【補正の内容】
【０００８】
【課題を解決するための手段】
図２は、ＳＡＷフィルタの温度変化による周波数変化の説明図であり、（ａ）に示すように入力信号２１を中心周波数ω０、波長λとするとき、ＳＡＷフィルタの特性は（ｂ）に示すように中心周波数ω０からλ１，λ２の幅を持っている。ここで、（ｄ）に示すように温度変化によりＳＡＷフィルタの帯域制限特性がΔ１だけ負の方向にずれた帯域制限特性２２’となると、（ａ）に示す入力信号２１は帯域制限特性２２’からはずれてしまい、（ｆ）に示すようにＳＡＷフィルタの帯域制限特性がΔ２だけ正の方向にずれた帯域制限特性２２”となると、入力信号２１は帯域制限特性２２’からはずれてしまう。ここで、ＳＡＷフィルタの温度特性は素材の温度特性に依存し、再現性が良いという特徴をもっているので、現在の温度を測定し、予め設定した温度テーブルとの対応づけにより中心周波数を補正することが可能となる。また、ＳＡＷフィルタの電気特性は素材上の電極の寸法に依存し、中心周波数の変化に比べて特性変化が小さいことが知られている。そこで、図２の（ｃ），（ｅ）に示すように、温度変化によって変化したＳＡＷフィルタの中心周波数に合わせて入力信号２１の中心周波数を△１あるいは△２ずらして入力信号２１’，２２”とするように受信回路を構成すればよい。
【手続補正３】
【補正対象書類名】明細書
【補正対象項目名】０００９
【補正方法】変更
【補正の内容】
【０００９】
これを補償するための受信回路は、ローカル信号生成回路を備え、受信波と該受信波に対応して生成されたローカル信号から中間周波数を得て、該中間周波数をＳＡＷフィルタにより帯域制限してその出力を基に復調信号を得る受信回路において、温度変化に基づく前記ＳＡＷフィルタの周波数変化分を補償する補償信号を生成してローカル信号生成回路に与える補償回路を設けたことを特徴とする。
【手続補正４】
【補正対象書類名】明細書
【補正対象項目名】００１１
【補正方法】変更
【補正の内容】
【００１１】
上記の受信回路では必ずしもスペクトル周波数制御とフィルタ中心周波数制御が一致しない場合がある。この場合、図３に示すように温度変化分を考慮していない狭帯域のＳＡＷフィルタ３１の制限帯域からずれた分Δだけスペクトル３２が歪み、パワーが小さくなる。そこで、図４（ａ）に示すようにスペクトル中心周波数ω０を基準にして周波数の上側のパワー（図４（ｂ））と下側のパワー（図４（ｃ））を比較することにより、周波数が上側か下側のどちらかにずれたかを検出し、検出値（レベルの差分）をフィードバックすることでフィルタ中心周波数をスペクトル中心周波数に一致させるように構成する。
【手続補正５】
【補正対象書類名】明細書
【補正対象項目名】００１２
【補正方法】変更
【補正の内容】
【００１２】
具体的には、本発明の受信回路は、ローカル信号生成回路を備え、受信波と該受信波に対応して生成されたローカル信号から中間周波数を得て、該中間周波数をＳＡＷフィルタにより帯域制限してその出力を基に復調信号を得る受信回路において、ＳＡＷフィルタの出力を基にスペクトル中心周波数を基準として該周波数の上下のレベル差を検出してローカル信号生成回路に与える制御電圧検出回路を設けたことを特徴とする。
【手続補正６】
【補正対象書類名】明細書
【補正対象項目名】００１３
【補正方法】変更
【補正の内容】
【００１３】
なお、制御電圧検出回路を、ＳＡＷフィルタの出力から分離された、上側帯波の高調波成分を制限する第１の帯域制限手段と下側帯波の高調波成分を制限する第２の帯域制限手段と、第１の帯域制限手段の出力を反転する反転手段と、第２の帯域制限手段の出力を９０゜位相転換する位相転換手段と、第１の帯域制限手段の出力および位相転換手段の出力を加算する第１の加算手段と、第２の帯域制限手段の出力および反転手段の出力を加算する第２の加算手段と、第１の加算手段からの出力レベルを検出する第１のレベル検出手段と、第２の加算手段からの出力レベルを検出する第２のレベル検出手段と、第１のレベル検出手段および第２のレベル検出手段の出力を比較して差を得る比較手段とから構成することができる。
【手続補正７】
【補正対象書類名】明細書
【補正対象項目名】００２０
【補正方法】変更
【補正の内容】
【００２０】
次に、Ｑ項ではヒルベルト変換器５２で位相を９０度変えることにより、±（１／２）・ＳｉｎΔωｔの信号を±（１／２）・Ｃｏｓωｔの信号に変換して加算器５４’および加算器５５に入力する。Ｉ項の加算器５５の出力はスペクトルの歪みを強調するためにＨＰＦ５５で低周波成分を除去し、レベル検出器５６でレベル検出され、復調器６にＩ成分として入力されると共に、比較回路５７に入力される。また、Ｑ項の加算器５５’の出力もスペクトルの歪みを強調するためにＨＰＦ５５で低周波成分を除去し、レベル検出器５６’でレベル検出され、復調器６にＱ成分として入力されると共に、比較回路５７に入力される。比較回路５７ではレベルを比較した後、その差ｖｃを制御電圧として加算器８に入力して、これをＶＣＯ１０にフィードバックすることにより、中心周波数の誤差を小さくでき、スペクトルの歪みを小さくできる。なお、本実施の形態ではヒルベルト変換器５２をＱ項側に設けたが、図６に示すようにＩ項側に設けてもよい。この場合、ヒルベルト変換器５２の出力信号（Ｉ項）は中心周波数が上下どちらにずれてもほぼ（１／２）・ΔＳｉｎωｔとなる。
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】変更
【補正の内容】
【００２５】
【発明の効果】
以上説明したように、本発明によれば、制御電圧検出回路からの制御電圧をＶＣＯにフィードバックして、フィルタ中心周波数をスペクトル周波数制御に一致させることにより、温度変化によるＳＡＷフィルタの中心周波数のずれを補正するので、スペクトルの歪み（中心周波数のずれによって生ずる制限帯域のずれ）およびパワーの減退を防止できる。
【手続補正１０】
【補正対象書類名】明細書
【補正対象項目名】００２６
【補正方法】削除
【補正の内容】